(57)【要約】【課題】タバコパックの補充の作業性を阻害することなくマガジンユニットの清掃や洗浄を容易とすることができる構造のタバコ陳列システムを提供する。【解決手段】マガジンユニット１００の前方に板バネ１１１により付勢されているスライダ部材１１０がマガジン本体１２０の底面後部の段差１０５に係合することにより、マガジンユニット１００にタバコパックを容易に補充することができる。それでいて、少なくともスライダ部材１１０がスライド移動する範囲ではマガジン本体１２０の底面が平面からなるので、その清掃や洗浄が容易である。【選択図】図１
2008080058.tif 000002
【特許請求の範囲】
【請求項１】
上下左右に配列されている複数のマガジンユニットの各々で前後方向に配列された複数の前記タバコパックを保持するタバコ陳列システムであって、
前記マガジンユニットが、前後方向に細長い上面開口のボックス状に形成されているマガジン本体と、前記マガジン本体の底面に前後方向にスライド自在に配置されているスライダ部材と、前記スライダ部材を弾発的に前方に付勢している付勢機構と、を有し、
前記マガジン本体は、少なくとも前記スライダ部材がスライド移動する範囲では底面が凸部を有しない平面からなり、前記底面の後部に後面を形成する段差が形成されており、
前記スライダ部材は、前面下端が前記マガジン本体の段差で形成されている前記後面に係脱自在に係合するタバコ陳列システム。
【請求項２】
前記マガジン本体は、下面の左右両側に凸部が形成されており、底部の左右方向での中央に前後方向に細長い開口孔が形成されており、
前記スライダ部材は、前記マガジン本体の開口孔の左右縁部にスライド自在に係合する凹溝が下部左右に形成されている請求項１に記載のタバコ陳列システム。
【請求項３】
前記スライダ部材の下部が挿入される拡開部が前記マガジン本体の開口孔の後端に形成されている請求項２に記載のタバコ陳列システム。
【請求項４】
前記付勢機構は、弾発的に巻回する前後方向に細長い板バネからなり、前記板バネは、前端が前記マガジン本体の前端に固定されており、後端を中心に前方に巻回する部分が前記スライダ部材に後方から当接する位置に配置されており、前記スライダ部材の下部から前方に位置する部分が前記マガジン本体の開口孔内に位置している請求項２または３に記載のタバコ陳列システム。
【請求項５】
前記マガジン本体は、底面前部の中央に前記板バネの前端が装着される係合爪が形成されているとともに左右両側に一個の前記タバコパックを上方に変位させる凸部が形成されている請求項４に記載のタバコ陳列システム。
【請求項６】
上面開口のボックス状に形成されていて左右方向に五列に配列された複数の前記マガジンユニットを着脱自在に保持するとともに左右方向に細長く配置された前記タバコカートンが載置される形状に形成されている複数のトレーユニットと、
前面開口のボックス状に形成されていて上下方向に離間した配置で複数の前記トレーユニットを着脱自在に保持する形状の複数のフレームユニットと、
複数の前記フレームユニットを上下方向に連結するフレーム連結機構と、を有する請求項１ないし５の何れか一項に記載のタバコ陳列システム。
【請求項７】
上面開口のボックス状に形成されていて左右方向に五列に配列された複数の前記マガジンユニットを着脱自在に保持するとともに左右方向に細長く配置された前記タバコカートンが載置される形状に形成されている複数のトレーユニットと、
前後方向に扁平な平板状に形成されていて前面に所定形状の凹凸が形成されている複数のウォールユニットと、
複数の前記ウォールユニットを上下方向に連結するウォール連結機構と、
前記ウォールユニットの前記凹凸に着脱自在に係合する係合機構が後部に形成されていて前記トレーユニットを保持する複数のトレーアタッチメントと、
を有する請求項１ないし５の何れか一項に記載のタバコ陳列システム。
【請求項８】
前面開口のボックス状に形成されていて上下方向に離間した配置で複数の前記トレーユニットを着脱自在に保持する形状の複数のフレームユニットと、
前記ウォールユニットの前記凹凸に着脱自在に係合する係合機構と前記フレームユニットを懸架するフレーム懸架部とを有するフレームアタッチメントとを、さらに有する請求項７に記載のタバコ陳列システム。
【請求項９】
複数の前記フレームユニットを上下方向に連結するフレーム連結機構を、さらに有する請求項８に記載のタバコ陳列システム。
【請求項１０】
前記トレーユニットの底面に着脱自在に装着されるスライダユニットを、さらに有し、
前記スライダユニットは、前後方向に細長いガイドレールと、前記ガイドレールを前記トレーユニットの底面に着脱自在に装着する着脱機構と、前記ガイドレールにスライド自在に支持されているスライダ部材と、前記スライダ部材を弾発的に前方に付勢している付勢機構と、を有する請求項１ないし９の何れか一項に記載のタバコ陳列システム。
【請求項１１】
請求項１ないし１０の何れか一項に記載のタバコ陳列システムのマガジンユニットであって、
前後方向に細長い上面開口のボックス状に形成されているマガジン本体と、
前記マガジン本体の底面に前後方向にスライド自在に配置されているスライダ部材と、
前記スライダ部材を弾発的に前方に付勢している付勢機構と、を有し、
前記マガジン本体は、少なくとも前記スライダ部材がスライド移動する範囲では底面が凸部を有しない平面からなり、前記底面の後部に後面を形成する段差が形成されており、
前記スライダ部材は、前面下端が前記マガジン本体の段差で形成されているマガジンユニット。
【発明の詳細な説明】
【技術分野】
【０００１】
本発明は、販売されるタバコパックを陳列するためのタバコ陳列システムに関し、特に、コンビニエンスストアなどで利用されるタバコ陳列システムに関する。
【背景技術】
【０００２】
現在、いわゆるコンビニエンスストアなどの店舗では、タバコパックを陳列して販売している。なお、ここで云うタバコパックとは、実際に喫煙される紙巻タバコではなく、複数の紙巻タバコを収容している直方体状のパッケージを意味している。
【０００３】
タバコパックを陳列するタバコ陳列システムは、例えば、複数のマガジンユニットと一個のシステムフレームからなる。マガジンユニットは、例えば、無色透明な樹脂により、前後方向に細長い上面開口のボックス状に形成されている。
【０００４】
マガジンユニットは、立設された状態のタバコパックが前後方向に配列された状態で上方から収容される。なお、マガジンユニットには、スライダ部材が底面に前後方向にスライド自在に装着されている。
【０００５】
より詳細には、マガジンユニットの底部には、前後方向に細長い開口孔が形成されている。その開口孔の左右両側には上方に突出したリブが形成されている。そして、この一対のリブと開口孔にスライダ部材が前後方向にスライド自在に装着されている。
【０００６】
さらに、スライダ部材の後部には、付勢機構となる巻回された板バネが装着されている。その板バネの一端はスライダ部材から引き出されてマガジンユニットの底部前方に装着されている。
【０００７】
このため、前後方向にスライド自在なスライダ部材が、板バネにより弾発的に前方に付勢されている。従って、マガジンユニットに収容された複数のタバコパックは、スライダ部材により最前部に押圧される。
【０００８】
また、上述のマガジンユニットは、開口孔の左右両側に形成されているリブが、マガジンユニットの後部で切除されている。このため、マガジンユニットの後部までスライド移動させたスライダ部材の前面下部をリブの後面に係脱自在に係合する。
【０００９】
システムフレームは、複数のマガジンユニットを上下左右に配列して保持する。システムフレームは、複数のガイドレールと一個の本体フレームからなる。ガイドレールは、一対でマガジンユニットの両側部を保持する。本体フレームは、例えば、金属棒で立体形状に形成されている。本体フレームの要所に複数のガイドレールが一対ずつ固定されている。
【００１０】
上述のようなタバコ陳列システムでは、例えば、２０個のマガジンユニットが、４行５列などの配列でシステムフレームに装着される。そのマガジンユニットの各々に、例えば、１０個のタバコパックが収容される。
【００１１】
タバコパックは各面のサイズが相違する直方体状に形成されており、その最大面を代表面として銘柄などが表記されている。そして、上述のようなタバコ陳列システムでは、無色透明なマガジンユニットにタバコパックが立設した状態で収容されるので、そのタバコパックの代表面が前面に位置する状態で陳列される。従って、例えば、２０種類のタバコパックを陳列しながら、各々１０個ずつ収容するようなことができる。
【００１２】
タバコパックを販売するときには、マガジンユニットの最前の位置から上方に抜き出せばよい。その場合、マガジンユニットに収容されているタバコパックはスライダ部材により前方に押圧される。このため、マガジンユニットの最前の位置からタバコパックが抜き出されても、その位置にタバコパックが配置された状態が維持される。
【００１３】
タバコ陳列システムにタバコパックを補充するときには、システムフレームからマガジンユニットが取り外される。そのマガジンユニットにタバコパックが収容され、このタバコパックが収容されたマガジンユニットがシステムフレームに装着される。このため、システムフレームに固定されているマガジンユニットにタバコパックを補充するような煩雑な作業が必要ない。
【００１４】
なお、マガジンユニットのスライダ部材は、前述のように開口孔の左右両側のリブの後端に係脱自在に係合する。そこで、このように板バネの付勢に抗してスライダ部材をマガジンユニットの後部に停止させることにより、マガジンユニットにタバコパックを簡単に補充することができる。それでいて、上述のリブはマガジンユニットの前部まで形成されているので、スライダ部材は円滑にスライド移動することができる。
【００１５】
また、上述のようなタバコ陳列システムでは、例えば、システムフレームからマガジンユニットを取り外すことにより、そのマガジンユニットを洗浄したり清掃することもできる。
【特許文献１】特開平１０−１５１０４７号公報
【発明の開示】
【発明が解決しようとする課題】
【００１６】
上述のようなタバコ陳列システムは、複数のタバコパックをマガジンユニットにより保持することができ、それでタバコパックを代表面が前面に位置する状態で陳列することができる。
【００１７】
そして、このような陳列を実現するため、前述のようにマガジンユニットにスライド自在に装着されているスライダ部材が板バネにより前方に付勢されている。さらに、マガジンユニットへのタバコパックの補充を容易とするため、スライダ部材が後端に係合するリブがマガジンユニットの底面に形成されている。
【００１８】
しかし、上述のタバコ陳列システムでは、マガジンユニットの底面の清掃や洗浄がリブにより阻害されている。このリブを排除することは困難ではないが、その場合はスライダ部材をマガジンユニットの後部に停止させることができないため、タバコパックの補充の作業性が阻害される。
【００１９】
本発明は上述のような課題に鑑みてなされたものであり、タバコパックの補充の作業性を阻害することなくマガジンユニットの清掃や洗浄を容易とすることができる構造のタバコ陳列システムを提供するものである。
【課題を解決するための手段】
【００２０】
本発明のタバコ陳列システムは、上下左右に配列されている複数のマガジンユニットの各々で前後方向に配列された複数のタバコパックを保持するタバコ陳列システムであって、マガジンユニットが、前後方向に細長い上面開口のボックス状に形成されているマガジン本体と、マガジン本体の底面に前後方向にスライド自在に配置されているスライダ部材と、スライダ部材を弾発的に前方に付勢している付勢機構と、を有し、マガジン本体は、少なくともスライダ部材がスライド移動する範囲では底面が凸部を有しない平面からなり、底面の後部に後面を形成する段差が形成されており、スライダ部材は、前面下端がマガジン本体の段差で形成されている後面に係脱自在に係合する。
【００２１】
本発明のタバコ陳列システムでは、マガジンユニットの前方に付勢機構により付勢されているスライダ部材がマガジン本体の底面後部の段差に係合することにより、マガジンユニットにタバコパックを容易に補充することができる。それでいて、少なくともスライダ部材がスライド移動する範囲ではマガジン本体の底面が平面からなるので、その清掃や洗浄が容易である。
【００２２】
本発明のマガジンユニットは、本発明のタバコ陳列システムのマガジンユニットであって、前後方向に細長い上面開口のボックス状に形成されているマガジン本体と、マガジン本体の底面に前後方向にスライド自在に配置されているスライダ部材と、スライダ部材を弾発的に前方に付勢している付勢機構と、を有し、マガジン本体は、少なくともスライダ部材がスライド移動する範囲では底面が凸部を有しない平面からなり、底面の後部に後面を形成する段差が形成されており、スライダ部材は、前面下端がマガジン本体の段差で形成されている。
【００２３】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００２４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００２５】
本発明のタバコ陳列システムでは、マガジンユニットの前方に付勢機構により付勢されているスライダ部材がマガジン本体の底面後部の段差に係合することにより、マガジンユニットにタバコパックを容易に補充することができる。それでいて、少なくともスライダ部材がスライド移動する範囲ではマガジン本体の底面が平面からなるので、その清掃や洗浄が容易である。このため、タバコパックの補充の作業性を阻害することなくマガジンユニットの清掃や洗浄を容易とすることができる。
【発明を実施するための最良の形態】
【００２６】
本発明の実施の一形態を図面を参照して以下に説明する。本実施の形態のタバコ陳列システム１０００は、図２に示すように、上下左右に配列されている複数のマガジンユニット１００の各々で前後方向に配列された複数のタバコパックＴを保持する。
【００２７】
そのマガジンユニット１００は、図１ないし図５に示すように、前後方向に細長い上面開口のボックス状に形成されているマガジン本体１２０と、マガジン本体１２０の底面に前後方向にスライド自在に配置されているスライダ部材１１０と、スライダ部材１１０を弾発的に前方に付勢している付勢機構と、を有する。
【００２８】
さらに、そのマガジン本体１２０は、少なくともスライダ部材１１０がスライド移動する範囲では底面が凸部を有しない平面からなり、その底面の後部に後面を形成する段差１０５が形成されている。そこで、スライダ部材１１０は、マガジン本体１２０の段差１０５で形成されている後面に、前面下端が係脱自在に係合する。
【００２９】
より詳細には、本実施の形態のタバコ陳列システム１０００は、上面開口のボックス状に形成されていて左右方向に配列された複数のマガジンユニット１００を着脱自在に保持する複数のトレーユニット２００、を有する。
【００３０】
さらに、図２(ａ)に示すように、前面開口のボックス状に形成されていて上下方向に離間した配置で複数のトレーユニット２００を着脱自在に保持する形状の複数のフレームユニット３００を有する。
【００３１】
または、図２(ｂ)に示すように、前後方向に扁平な平板状に形成されていて前面に所定形状の凹凸が形成されている複数のウォールユニット５００、ウォールユニット５００の凹凸に着脱自在に係合する係合機構が後部に形成されていてトレーユニット２００を保持する複数のトレーアタッチメント６００、ウォールユニット５００の凹凸に着脱自在に係合する係合機構６３０とフレームユニット３００を懸架する支持部７０１とを有するフレームアタッチメント７００、を有する。
【００３２】
タバコ陳列システム１０００は、図２に示すように、直方体状に形成されているタバコパックＴ、複数のタバコパックＴが直方体状にパックされたタバコカートンＫ、タバコパックＴがオマケとともにパックされたキャンペーンパックＰ、等を陳列する。なお、このキャンペーンパックＰは、例えば、厚紙で形成された簡易什器Ｆとともに店舗に提供される。
【００３３】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。
【００３４】
なお、一般的にタバコパックＴは前面(および後面)を代表面として銘柄などが表記されている。このため、その前面が前方に位置する適正な方向の状態で陳列されることが好ましい。そして、マガジンユニット１００は、上述のように方向が適正な状態の複数のタバコパックＴを前後方向に配列した状態で収容する。
【００３５】
ただし、本実施の形態のタバコ陳列システム１０００では、図３に示すように、前後長が大きく１３個のタバコパックＴを保持するマガジンユニット１００ａと、前後長が小さく７個のタバコパックＴを保持するマガジンユニット１００ｂと、がある。
【００３６】
なお、マガジンユニット１００は、無色透明な樹脂で形成されている。また、マガジンユニット１００の前端および後端には、上面が開口したポケット１０１，１０２が形成されている。
【００３７】
前方のポケット１０１には、例えば、顧客に提示するタバコパックＴの値札や宣伝カードなどが収容される。後方のポケット１０２には、例えば、店員が確認するタバコパックＴの情報カードなどが収容される。
【００３８】
マガジンユニット１００は、底部にスライダ部材１１０が前後方向にスライド自在に装着されている。より具体的には、マガジン本体１２０は、図１および図３ないし図５に示すように、底部の左右方向での中央に前後方向に細長い開口孔１０４が形成されている。スライダ部材１１０は、マガジン本体１２０の開口孔１０４の左右縁部にスライド自在に係合する凹溝が下部左右に形成されている。
【００３９】
このため、スライダ部材１１０の下面はマガジン本体１２０の下面より下方に位置している。しかし、スライダ部材１１０の下面より下方に位置する凸部１２１が、マガジン本体１２０の下面の左右両側に形成されている。
【００４０】
スライダ部材１１０は、巻回された板バネ１１１が付勢機構として後部に装着されている。この板バネ１１１の一端はスライダ部材１１０の底面から引き出されてマガジンユニット１００の前部に装着されている。
【００４１】
このため、スライダ部材１１０は板バネ１１１により弾発的に前方に付勢されている。なお、図４に示すように、スライダ部材１１０から引き出された板バネ１１１は、マガジンユニット１００の開口孔１０４の内部に位置するため、マガジンユニット１００に収容されるタバコパックＴの底面に接触しない。
【００４２】
マガジンユニット１００の底面後部には、段差１０５が形成されている。この段差１０５に係合することにより、スライダ部材１１０は板バネ１１１の張力に抗して停止する。
【００４３】
また、マガジンユニット１００の底面前部には、左右方向と直交する断面形状が三角形の凸部１０７が形成されている。この凸部１０７は一個のタバコパックＴの前後長と同一の前後長に形成されている。
【００４４】
このため、マガジンユニット１００に収容されてスライダ部材１１０により前方に圧接された複数のタバコパックＴは、図５に示すように、最前部の一個のみ上方に突出した状態となる。
【００４５】
マガジンユニット１００は、上述のように底面前部に凸部１０７が形成されているが、これより後方のスライダ部材１１０がスライド移動する範囲では底面が凸部を有しない平面からなる。
【００４６】
また、マガジン本体１２０の開口孔１０４の後端には拡開部が形成されている。このため、図２２に示すように、スライダ部材１１０の下部はマガジン本体１２０の開口孔１０４に拡開部から挿入されている。
【００４７】
また、マガジンユニット１００の板バネ１１１は、図１に示すように、前端がマガジン本体１２０の前端に固定されており、後端を中心に前方に巻回する部分がスライダ部材１１０に後方から当接する位置に配置されている。そして、図１および図４に示すように、板バネ１１１は、スライダ部材１１０の下部から前方に位置する部分が、マガジン本体１２０の開口孔１０４の内部に位置している。
【００４８】
また、マガジン本体１２０は、底面前部の中央に板バネ１１１の前端が装着される係合爪１２２が形成されている。さらに、その左右両側に一個のタバコパックＴを上方に変位させる凸部１０７が形成されている。
【００４９】
トレーユニット２００は、図６ないし図９に示すように、上面が開口したボックス状に無色透明な樹脂で形成されている。トレーユニット２００には、複数のマガジンユニット１００が左右方向に配列された状態でトレーユニット２００に収容される。ただし、マガジンユニット１００ａ，１００ｂは、前述のように前後長が相違する二種類がある。
【００５０】
そこで、本実施の形態のタバコ陳列システム１０００では、前後長が大きいマガジンユニット１００ａを五個収容するトレーユニット２００ａ、前後長が大きいマガジンユニット１００ａを三個収容するトレーユニット２００ｂ、前後長が小さいマガジンユニット１００ｂを五個収容するトレーユニット２００ｃ、前後長が小さいマガジンユニット１００ｂを三個収容するトレーユニット２００ｄ、がある。
【００５１】
そして、上述のようにマガジンユニット１００を左右方向に五列に保持するトレーユニット２００ａ，ｂは、図１および図２に示すように、左右方向に細長く配置されたタバコカートンＫを収容する左右幅に形成されている。
【００５２】
さらに、十三個のタバコパックＴを収容するマガジンユニット１００ａを左右方向に五列に保持するトレーユニット２００ａは、図２に示すように、前後方向に細長く配置されたタバコカートンＫを収容する前後長に形成されている。その場合、トレーユニット２００ａは、上下方向に扁平に配置されたタバコカートンＫを左右方向に三列に保持することができる。
【００５３】
トレーユニット２００は、底面両側にトレー凸部２０１が形成されている。ただし、トレーユニット２００は、上述のように二種類の横幅と二種類の前後長との組み合わせの四種類があるが、トレー凸部２０１と前面との距離は共通である。また、トレーユニット２００の前部にも、複数のタバコパックＴの宣伝カードなどが収容されるポケット２０２が形成されている。
【００５４】
フレームユニット３００は、図１０ないし図１４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００５５】
支持フレーム３２０は、トレーユニット２００を支持する前後方向に細長いレール状に形成された金属の板材からなり、複数が上下方向に配列されて一対の本体フレーム３１０の内側面に接合されている。
【００５６】
ただし、トレーユニット２００は、前述のように二種類の左右幅がある。そこで、本実施の形態のタバコ陳列システム１０００では、図１０ないし図１３に示すように、左右幅が大きいトレーユニット２００ａ，２００ｃを三個保持するフレームユニット３００ａ、左右幅が大きいトレーユニット２００ａ，２００ｃを二個保持するフレームユニット３００ｂ、左右幅が小さいトレーユニット２００ｂ，２００ｄを三個保持するフレームユニット３００ｃ、左右幅が小さいトレーユニット２００ｂ，２００ｄを二個保持するフレームユニット３００ｄ、がある。
【００５７】
また、フレームユニット３００は、支持フレーム３２０にガイド凹部３２１が形成されている。このガイド凹部３２１にトレーユニット２００のトレー凸部２０１が係合する。なお、前述のようにトレーユニット２００は二種類の前後長があるが、その前面からトレー凸部２０１までの距離は共通である。
【００５８】
また、四種類のフレームユニット３００も、その各々の前面からガイド凹部３２１までの距離は共通である。このため、図２(ａ)および図１４に示すように、フレームユニット３００に保持されたトレーユニット２００の前面の位置は同一となる。
【００５９】
さらに、図１５(ａ)に示すように、フレームユニット３００は、交互に前後反転されて本体フレーム３１０が前後方向に隣接する配置で複数が左右方向に配列されると、各々のガイド凹部３２１の前後位置が同一となる。
【００６０】
つまり、複数のフレームユニット３００を左右方向に配列するとき、その奇数番目と偶数番目で交互に前後を反転させ、本体フレーム３１０が前後方向に隣接するように配置すると、各々のガイド凹部３２１の前後位置が同一となる。従って、このように配置されたフレームユニット３００にトレーユニット２００が装着されても、図１５(ｂ)に示すように、その前面の位置は同一となる。
【００６１】
なお、フレームユニット３００は、本体フレーム３１０の上面両側と下面両側とに、フレーム連結機構となる面ファスナ３１１が装着されている。また、本体フレーム３１０の下面中央には、フレーム凹部となるフレーム貫通孔３１３が形成されている。本体フレーム３１０の上面中央には、フレーム凸部となる凸部材３１４が装着されている。
【００６２】
そこで、本実施の形態のタバコ陳列システム１０００では、図２に示すように、横幅が同一の複数のフレームユニット３００を上下方向に設置すると、その複数のフレームユニット３００が面ファスナ３１１により連結される。このとき、フレーム貫通孔３１３と凸部材３１４とが係合する。
【００６３】
また、タバコ陳列システム１０００は、図１６に示すように、前述のように交互に前後反転されて左右方向に配列された複数のフレームユニット３００を保持する左右連結機構としてクリップ部材３３１とファスナ部材３３２とを有する。
【００６４】
クリップ部材３３１はバネ材により形成されており、前述のように前後方向に隣接された本体フレーム３１０を弾発的に保持する。ファスナ部材３３２は、樹脂板の下面に一対の面ファスナが装着された構造からなり、上述のように配置された複数のフレームユニット３００の上面の隣接する面ファスナ３１１に接合される。
【００６５】
また、ウォールユニット５００は、図１７に示すように、ベースウォール５００ａとパネルウォール５００ｂとがある。ベースウォール５００ａとパネルウォール５００ｂとは、前後方向に扁平な平板状のウォール部５１０を有する。
【００６６】
ベースウォール５００ａは、ウォール部５１０の下端に台座５２０が一体に形成されており、ウォール部５１０の上端にウォール連結機構が搭載されている。パネルウォール５００ｂは、上端と下端とにウォール連結機構が搭載されている。
【００６７】
より具体的には、ウォールユニット５００は、後面左右に補強を兼用した断面矩形の金属管５３１が装着されている。そして、パネルウォール５００ｂでは、その金属管５３１の下端に、一回り小径の金属管５３２が固定されている。
【００６８】
そして、パネルウォール５００ｂの下端の金属管５３２が、ベースウォール５００ａやパネルウォール５００ｂの上端の金属管５３１に上方から係脱自在に係合する。そこで、これらの金属管５３１，５３２からなるウォール連結機構により、パネルウォール５００ｂは、複数を上下方向に連結することができ、ベースウォール５００ａの上端に連結することもできる。
【００６９】
また、ベースウォール５００ａとパネルウォール５００ｂとのウォール部５１０は、前面に所定形状の凹凸が形成されている。より具体的には、凹凸として、左右方向に連通する凹溝５１１が上下方向に所定間隔で配列された形状に形成されている。その凹溝５１１は、例えば、図１１に示すように、後部が下方に曲折したＬ字型の断面形状に形成されている。
【００７０】
トレーアタッチメント６００ａ〜６００ｄは、図１８および図１９に示すように、トレーユニット２００ａ〜２００ｄを個々に保持する構造に形成されている。より詳細には、トレーアタッチメント６００は、前後方向に細長い一対の支持フレーム６１０を有する。
【００７１】
支持フレーム６１０は、トレーユニット２００を支持する前後方向に細長いレール状に形成された金属の板材からなる。その一対の支持フレーム６１０は、左右方向に細長い連結フレーム６２０により下面前後で連結されている。
【００７２】
ただし、トレーユニット２００は、前述のように二種類の左右幅と二種類の前後長との組み合わせの四種類がある。そこで、トレーアタッチメント６００ａ〜６００ｄも、トレーユニット２００に対応して二種類の左右幅と二種類の前後長との組み合わせの四種類がある。
【００７３】
また、トレーアタッチメント６００ａ〜６００ｄは、支持フレーム６１０にガイド凹部６１１が形成されている。このガイド凹部６１１にトレーユニット２００のトレー凸部２０１が係合する。
【００７４】
なお、四種類のトレーユニット２００と四種類のトレーアタッチメント６００とは、装着により後部の位置が一致するように、トレー凸部２０１とガイド凹部６１１とが形成されている。また、支持フレーム６１０の後端には、ウォールユニット５００の凹溝５１１に着脱自在に係合する係合機構６３０が後部に形成されている。
【００７５】
なお、上述のようにトレーユニット２００およびトレーアタッチメント６００は、二種類の左右幅に形成されている。このため、図２０に示すように、ウォールユニット５００は、幅広のトレーアタッチメント６００ａ，６００ｃに対応した左右幅に形成されている。
【００７６】
また、前述のようにトレーユニット２００は前後長が二種類なので、ベースウォール５００ａの台座５２０は、前後長が最大のトレーユニット２００ａ，２００ｂに対応した前後長に形成されている。従って、何れのトレーユニット２００を利用する場合にも、トレーユニット２００がベースウォール５００ａの台座５２０より前方に突出することがない。
【００７７】
また、図２(ｂ)および図２１に示すように、フレームユニット３００は、一対のフレームアタッチメント７００によりウォールユニット５００の前面に装着される。フレームアタッチメント７００は、前後方向に細長い断面Ｌ字型の支持部７０１と、この支持部７０１の後部に形成されている係合機構６３０と、からなる。
【００７８】
なお、本実施の形態のタバコ陳列システム１０００は、図２等に示すように、上述したトレーユニット２００以外にも、ウォールユニット５００に着脱自在に装着される各種のユニットを有する。
【００７９】
上述のような構成において、本実施の形態のタバコ陳列システム１０００では、図２(ａ)に示すように、四種類のフレームユニット３００を上下左右に組み合わせても、図２(ｂ)に示すように、二種類のウォールユニット５００を上下左右に組み合わせても、全体を形成することができ、その上下高と左右幅とを自在に調節することができる。
【００８０】
このため、本実施の形態のタバコ陳列システム１０００は、設置する空間に対応した外形とすることができる。従って、空間を有効に利用することができ、デッドスペースの発生を良好に抑制することができる。
【００８１】
そして、上述のようにタバコ陳列システム１００をフレームユニット３００で形成した場合でもウォールユニット５００で形成した場合でも、四種類のトレーユニット２００、二種類のマガジンユニット１００、を共用して自在に組み込むことができる。
【００８２】
このため、少品種のユニット１００〜６００等を大量生産するだけで、極めて多様なタバコ陳列システム１０００を店舗に提供することができる。さらに、店舗がタバコパックＴを多様に陳列することができ、店舗にタバコパックＴを供給する企業も多様な陳列形態を提案することができる。
【００８３】
また、タバコ陳列システム１０００は、図１(ａ)および図２に示すように、左右方向に配列されたマガジンユニット１００をトレーユニット２００に保持させることにより、代表面を前面とした状態でタバコパックＴを陳列することができる。
【００８４】
また、本実施の形態のタバコ陳列システム１０００は、上述のようにフレームユニット３００やウォールユニット５００やトレーユニット２００やマガジンユニット１００を自由に組み合わせて組み立てることができるので、その一部を分解して清掃するようなことも容易である。
【００８５】
また、マガジンユニット１００の前方に板バネ１１１により付勢されているスライダ部材１１０が、マガジン本体１２０の底面後部の段差１０５に係脱自在に係合する。このため、マガジンユニット１００にタバコパックを容易に補充することができる。
【００８６】
それでいて、少なくともスライダ部材１１０がスライド移動する範囲ではマガジン本体１２０の底面が平面からなるので、その清掃や洗浄が容易である。このため、タバコパックの補充の作業性を阻害することなくマガジンユニット１００の清掃や洗浄を容易とすることができる。
【００８７】
また、マガジンユニット１００は、マガジン本体１２０の開口孔１０４の後端に拡開部が形成されている。このため、図２２に示すように、工具などを必要とすることなくスライダ部材１１０をマガジン本体１２０にスライド自在に装着することができる。
【００８８】
このようにスライダ部材１１０はマガジン本体１２０の開口孔１０４にスライド自在に装着されているため、スライダ部材１１０の下面はマガジン本体１２０の下面より下方に位置している。
【００８９】
しかし、マガジン本体１２０の下面の左右両側には、スライダ部材１１０の下面より下方に位置する凸部１２１が形成されている。このため、マガジンユニット１００をトレーユニット２００の底面に載置しても、スライド移動するスライダ部材１１０がトレーユニット２００の底面に接触することがない。
【００９０】
さらに、マガジンユニット１００のスライダ部材１１０を前方に付勢している板バネ１１１は、スライダ部材１１０の下部から前方に位置する部分がマガジン本体１２０の開口孔１０４の内部に位置している。このため、図１(ｂ)に示すように、マガジンユニット１００に収容されたタバコパックＴの底面を板バネ１１１が擦過することがない。
【００９１】
また、マガジン本体１２０は、底面前部の中央に係合爪１２２が形成されている。このため、板バネ１１１の前端を簡単にマガジン本体１２０の前端に装着することができる。
【００９２】
さらに、マガジン本体１２０の底部前部の左右両側には、三角形の凸部１０７が形成されている。このため、スライダ部材１１０により押圧する一列のタバコパックＴの最前部の一個を上方に変位させることができる。
【００９３】
しかも、図１に示すように、上述の三角形の凸部１０７が係合爪１２２の左右両側に位置している。このため、図１(ｂ)に示すように、板バネ１１１を固定するための係合爪１２２が、タバコパックＴの底部に衝突することがない。
【００９４】
なお、図２(ａ)(ｂ)に示すように、マガジンユニット１００を取り外したトレーユニット２００には、タバコカートンＫやキャンペーンパックＰの簡易什器Ｆなどを保持させることもできる。
【００９５】
また、図２(ａ)に示すように、上述の簡易什器Ｆはフレームユニット３００の上面に載置することもでき、トレーユニット２００をセットしていないフレームユニット３００の内部に配置することもできる(図示せず)。
【００９６】
また、本実施の形態のタバコ陳列システム１０００では、前述のように全体形状をフレームユニット３００かウォールユニット５００かで形成することができ、トレーユニット２００やマガジンユニット１００を共用することができる。
【００９７】
タバコ陳列システム１０００を利用する店舗は、ウォールユニット５００とフレームユニット３００との利用を一方から他方に切り換えるような場合でも、トレーユニット２００やマガジンユニット１００の利用を継続することができる。
【００９８】
また、複数の売場の一部ではフレームユニット３００で構築したタバコ陳列システム１０００を利用し、他部ではウォールユニット５００で構築したタバコ陳列システム１０００を利用するような場合でも、トレーユニット２００やマガジンユニット１００を共用することができる。しかも、ウォールユニット５００でタバコ陳列システム１０００を形成した場合、その部品としてフレームユニット３００を利用することができる。
【００９９】
なお、フレーム構造の場合、タバコパックＴを五列に保持する幅広のフレームユニット３００ａ，３００ｂと三列に保持する幅狭のフレームユニット３００ｃ，３００ｄとがあるので、設置スペースの左右幅に良好に対応することができる。
【０１００】
さらに、タバコパックＴを三行に保持する背高のフレームユニット３００ａ，３００ｃと二行に保持する背低のフレームユニット３００ｂ，３００ｄとがあるので、設置スペースの上下高にも良好に対応することができる。
【０１０１】
なお、フレームユニット３００ａ〜３００ｄは、横幅が同一の組み合わせで上下方向に連結される。ただし、左右方向に配列するフレームユニット３００ａ〜３００ｄの組み合わせに制限はない。
【０１０２】
トレーユニット２００ａ〜２００ｄは、左右幅が対応したフレームユニット３００ａ〜３００ｄに保持される。ただし、フレームユニット３００に保持させるトレーユニット２００の前後長に制限はない。
【０１０３】
また、フレームユニット３００には二個または三個のトレーユニット２００が保持される。フレームユニット３００に保持させるトレーユニット２００の最少個数に制限はない。
【０１０４】
また、トレーユニット２００ａ〜２００ｄは、左右幅が対応したトレーアタッチメント６００ａ〜６００ｄに保持される。ただし、ウォールユニット５００では、その前面のトレーアタッチメント６００で装着されるトレーユニット２００の位置および個数に制限はない。
【０１０５】
また、フレームユニット３００は、面ファスナ３１１により上下方向に接合される。このため、工具などを必要とすることなく簡単に複数のフレームユニット３００を上下方向に連結することができる。
【０１０６】
さらに、前述のように交互に前後反転されて左右方向に配列された複数のフレームユニット３００は、図１６に示すように、クリップ部材３３１とファスナ部材３３２とで左右方向にも連結することができる。
【０１０７】
このため、工具などを必要とすることなく簡単に複数のフレームユニット３００を左右方向にも連結することができる。しかも、前述のようにフレームユニット３００を上下方向に連結するための面ファスナ３１１を左右方向への連結にも利用するので、部品の利用効率が良好である。
【０１０８】
そして、上述のように工具を使用することなく上下左右に組み立てたフレームユニット３００に、トレーユニット２００でマガジンユニット１００を組み付けることができる。
【０１０９】
また、ウォールユニット５００は、金属管５３１，５３２の係合により上下方向に接合される。このため、工具などを必要とすることなく簡単かつ強固に複数のウォールユニット５００を上下方向に連結することができる。
【０１１０】
そして、このように上下方向に連結したウォールユニット５００を左右方向に配列させて設置することができる。そして、上述のように工具を使用することなく上下左右に組み立てたウォールユニット５００に、トレーアタッチメント６００とトレーユニット２００とでマガジンユニット１００を組み付けることができる。
【０１１１】
本実施の形態のタバコ陳列システム１０００は、上述のようにフレームユニット３００で形成した場合でもウォールユニット５００で形成した場合でも、工具を使用することなく簡単に組み立てることができる。
【０１１２】
従って、搬入や設置を迅速に省スペースで実行することができる。例えば、２４時間営業のコンビニエンスストアなどでは、タバコ陳列システム１０００の搬入や設置を、顧客に店舗を開放している状態で実行する必要がある。
【０１１３】
しかし、タバコ陳列システム１０００は、上述のように搬入や設置を迅速に省スペースで実行することができるので、コンビニエンスストアなどの販売業務を阻害することがない。
【０１１４】
さらに、フレームユニット３００では、上述の面ファスナ３１１として自動車部品の接合などに利用されている製品を使用することができる。その場合、面ファスナ３１１により複数のフレームユニット３００を強固に連結することができる。
【０１１５】
また、上述のように複数のフレームユニット３００を上下方向に連結させるとき、下側のフレームユニット３００の一対の凸部材３１４が上側のフレームユニット３００の一対のフレーム貫通孔３１３に係合する。このため、上下方向に連結される複数のフレームユニット３００の前後左右の相対位置を簡単かつ確実に適正とすることができる。
【０１１６】
また、ウォールユニット５００では、その上下方向の連結に使用される金属管５３１，５３２が構造の補強を兼用している。このため、ウォールユニット５００は、部品点数が必要最小限とされており、軽量で生産性も良好である。
【０１１７】
さらに、前述のようにフレームユニット３００にトレーユニット２００を保持させると、そのガイド凹部３２１にトレー凸部２０１が係合する。このため、トレーユニット２００がフレームユニット３００に簡単かつ確実に適正な位置で保持される。
【０１１８】
しかも、トレーユニット２００は前後長が相違する複数種類があるが、その前面からトレー凸部２０１までの距離は共通である。また、複数種類のフレームユニット３００も、その前面からガイド凹部３２１までの距離は共通である。このため、複数種類のフレームユニット３００に複数種類のトレーユニット２００を保持させても、そのトレーユニット２００の前面の位置は同一となる。
【０１１９】
しかも、前述のように左右方向に複数のフレームユニット３００が配列されるとき、その前後を交互に反転させても支持フレーム３２０のガイド凹部３２１の前後位置は同一となる。
【０１２０】
このため、上述のように左右方向に配列された複数のフレームユニット３００にトレーユニット２００を保持させても、そのトレーユニット２００の前面の位置は同一となる。
【０１２１】
従って、本実施の形態のタバコ陳列システム１０００では、フレームユニット３００で全体を構築した場合、複数のユニット１００〜３００で保持されて陳列されるタバコパックＴの前面の位置を同一とすることができ、美麗にタバコパックＴを陳列することができる。
【０１２２】
特に、マガジンユニット１００は、収容された複数のタバコパックＴをスライダ部材１１０により前方に押圧する。このため、複数のマガジンユニット１００に収容しているタバコパックＴを、共通の位置に自動的に陳列することができる。
【０１２３】
さらに、マガジンユニット１００とトレーユニット２００とが無色透明な樹脂で形成されている。このため、トレーユニット２００に収容されたタバコカートンＫや、トレーユニット２００にマガジンユニット１００で収容されたタバコパックＴを、良好に視認できる状態に陳列することができる。
【０１２４】
しかも、マガジンユニット１００は、収容している複数のタバコパックＴを凸部１０７により最前部の一個のみ上方に突出させる。このため、収容されている複数のタバコパックＴから一個を容易に取り出すことができる。
【０１２５】
また、マガジンユニット１００は、図４に示すように、後方にスライド移動させたスライダ部材１１０を段差１０５に係合させることにより、板バネ１１１の張力に抗して停止させることができる。このため、マガジンユニット１００に複数のタバコパックＴを容易に補充することができる。
【０１２６】
さらに、前述のように前後が交互に反転された状態で複数のフレームユニット３００が左右方向に配列されると、左右方向に配列されている複数のフレームユニット３００の隙間を最少とすることができる。このため、タバコパックＴを陳列する密度を向上させることができる。
【０１２７】
また、フレームユニット３００は、トレーユニット２００を各々支持する複数の支持フレーム３２０が一対の本体フレーム３１０で上下方向に配列されて支持されており、その一対の本体フレーム３１０は複数の支持フレーム３２０で前後方向に配列されて支持されている。
【０１２８】
つまり、フレームユニット３００が、機能部品と構造体とを兼用した必要最小限のフレーム３１０，３２０で形成されている。このため、フレームユニット３００は生産性が良好で軽量である。
【０１２９】
特に、支持フレーム３２０はコ字状の断面形状に曲折されているので、高剛性である。本体フレーム３１０は枠状に閉じた形状に形成されているので、高剛性である。そして、これらのフレーム３１０，３２０が立体的に接合されている。このため、金属の棒材などで形成されていた従来の什器などに比較して、フレームユニット３００は極めて高剛性である。
【０１３０】
なお、現在ではタバコパックＴやタバコカートンＫはダンボール箱に梱包されて店舗に提供され、店舗でタバコ陳列システム１０００のマガジンユニット１００やトレーユニット２００に補充されている。
【０１３１】
しかし、タバコパックＴが充填されたマガジンユニット１００やタバコカートンＫが充填されたトレーユニット２００を店舗に提供し、店舗から空のマガジンユニット１００やトレーユニット２００を回収することもできる。この場合、店舗ではタバコパックＴやタバコカートンＫをマガジンユニット１００やトレーユニット２００に補充する作業が無用となるので、販売効率を向上させることができる。
【０１３２】
なお、本発明は本実施の形態に限定されるものではなく、その要旨を逸脱しない範囲で各種の変形を許容する。例えば、上記形態ではタバコ陳列システム１０００の全体形状がフレームユニット３００かウォールユニット５００で形成されることを例示した。
【０１３３】
しかし、図２３および図２４に示すように、タバコ陳列システム１０００が、ストッカユニット４００やテーブルユニット４１０を、さらに有してもよい。ストッカユニット４００は、少なくとも上面が平坦で前面が開閉自在なボックス状に形成されている。
【０１３４】
テーブルユニット４１０は、上面が平坦で上下方向に扁平なボックス状に形成されている。テーブルユニット４１０は、ユニットボックス４１１にテーブル部材４１２が前後方向にスライド自在に収容されている。このため、テーブル部材４１２を前方に突出させて作業に利用することができる。
【０１３５】
そして、図２３に示すように、前述のようにフレームユニット３００は左右幅が二種類なので、上述のストッカユニット４００とテーブルユニット４１０とは、フレームユニット３００に対応した二種類の左右幅に形成されている。
【０１３６】
このため、使用するフレームユニット３００に対応してストッカユニット４００やテーブルユニット４１０も組み合わせることができる。従って、タバコ陳列システム１０００の全体を統一感のある外観とすることができ、デッドスペースの発生を有効に防止することができる。
【０１３７】
一方、前述のようにウォールユニット５００は、台座５２０の左右幅と前後長とが最大のトレーユニット２００に対応している。このため、図２４に示すように、幅広のストッカユニット４００やテーブルユニット４１０と組み合わせることにより、やはりタバコ陳列システム１０００の全体を統一感のある外観とすることができる。
【０１３８】
さらに、前述のようにトレーユニット２００は前後長が二種類なので、上述のストッカユニット４００とテーブルユニット４１０とは、前後長が最大のトレーユニット２００ａ，２００ｂに対応した前後長に形成されている。従って、何れのトレーユニット２００を利用する場合にも、トレーユニット２００がストッカユニット４００より外側に突出するようなことがない。
【０１３９】
上述のようなストッカユニット４００を利用することにより、カウンタなどがない場所にも、タバコ陳列システム１０００を適正な状態に設置することができる。さらに、上述のようなテーブルユニット４１０を利用することにより、タバコパックＴの補充などの作業性を向上させることができ、それでいて使用しないときに邪魔となることもない。
【０１４０】
なお、上述のようなストッカユニット４００やテーブルユニット４１０は、例えば、フレームユニット３００やウォールユニット５００と同様に、上面と下面とに形成されている凹凸や面ファスナなどにより、上下方向に連結される構造とすることができる(図示せず)。
【０１４１】
その場合、例えば、凹凸や面ファスナの位置や構造もフレームユニット３００と共通としておくことにより、ストッカユニット４００やテーブルユニット４１０にフレームユニット３００を適正に簡単かつ強固に設置することができる。この場合、ウォールユニット５００の台座５２０の下面に面ファスナを装着しておくことがよい(図示せず)。
【０１４２】
また、上記形態ではマガジンユニット１００にタバコパックＴを板バネ１１１の弾発力により前方に押圧するスライダ部材１１０が装着されており、トレーユニット２００にタバコカートンＫを直接に収容できることを例示した。
【０１４３】
しかし、タバコカートンＫを板バネ１１１の弾発力により前方に押圧するスライダ部材１１０をトレーユニット２００に搭載することもできる。その場合、図２５および図２６に示すように、トレーユニット２００に着脱自在なスライダユニット４３０を用意する。
【０１４４】
このスライダユニット４３０は、図２５に示すように、ガイドレール４３１の前後に樹脂部品４３２，４３３が装着されている。ガイドレール４３１にスライダ部材１１０がスライド自在に支持されており、このスライダ部材１１０の後部に巻回されている板バネ１１１の一端が前方の樹脂部品４３２に連結されている。また、樹脂部品４３２，４３３の下面には、物性によりトレーユニット２００に吸着する吸着部材(図示せず)が装着されている。
【０１４５】
そこで、図２６に示すように、一対のスライダユニット４３０をトレーユニット２００の底面に装着することにより、そこに収容される複数のタバコカートンＫを前方に押圧してトレーユニット２００の最前部に常時位置させることができる。
【０１４６】
また、上記形態ではトレーユニット２００にマガジンユニット１００でタバコパックＴを直立させて収容することを例示した。しかし、図２８に示すように、波形に曲折した形状の樹脂パネル４４０などをトレーユニット２００の底面にセットし、タバコパックＴをマガジンユニット１００とともに傾斜させた状態で収容してもよい。
【０１４７】
この場合、タバコパックＴを五列に収容できるトレーユニット２００に四列しか収容できないので、収容の効率は低下する。しかし、タバコパックＴの陳列に変化を持たせることができる。
【０１４８】
しかも、このスライダユニット４３０は、そのスライダ部材１１０や板バネ１１１をマガジンユニット１１０と共通とすることができる。このため、システム全体の生産性を向上させることができる。
【０１４９】
さらに、上記形態ではマガジンユニット１００やトレーユニット２００が無色透明な樹脂で形成されていることを例示した。しかし、蛍光色の樹脂でマガジンユニット１００などを形成しておいてもよい。
【０１５０】
その場合、例えば、通常のタバコパックＴは無色透明なマガジンユニット１００に収容して陳列し、新発売などのタバコパックＴを蛍光色のマガジンユニット１００に収容して陳列するようなことができる。この場合、特定のタバコパックＴを良好にアピールすることができる。
【０１５１】
なお、現在ではタバコ陳列システム１０００に陳列されているタバコパックＴなどが販売されるとき、その販売情報が電子キャッシュレジスタ(図示せず)により収集されている。また、タバコパックＴなどがタバコ陳列システム１０００に補充されるとき、その補充情報や在庫情報もハンディターミナル(図示せず)などにより収集されている。
【０１５２】
しかし、このような販売情報や補充情報や在庫情報を収集する機能をタバコ陳列システム１０００に搭載することもできる。例えば、現在ではタバコパックＴなどの各種の商品にＲＦＩＤ(Radio Frequency Identification)チップ(図示せず)を搭載することが検討されている。
【０１５３】
そこで、タバコ陳列システム１０００にＲＦＩＤリーダ(図示せず)を搭載することにより、タバコ陳列システム１０００でタバコパックＴの販売情報や補充情報や在庫情報を収集することが可能となる。
【０１５４】
なお、上述のようなＲＦＩＤリーダは、例えば、マガジンユニット１００、トレーユニット２００、フレームユニット３００、ウォールユニット５００、などに搭載してもよく、マガジンユニット１００、トレーユニット２００、フレームユニット３００、ウォールユニット５００、などに着脱自在なユニットとしてもよい。
【０１５５】
なお、タバコ陳列システム１０００を店舗に提供する場合、当然ながら店舗により必要なユニット１００〜５００の組み合わせは相違する。その場合、店舗で必要なユニット１００〜５００を検討することになるが、その検討を支援するための陳列シミュレータ８００を店舗に提供することもできる。
【０１５６】
例えば、フレーム構造用の陳列シミュレータ８００ａは、図２７に示すように、フレームユニット３００の前面形状を所定の縮尺で模した平板状のユニット模型８１０、これと同一の縮尺で店舗のカウンタ(図示せず)の前面形状を模したカウンタ模型８２０、同一の縮尺でストッカユニット４００の前面形状を模したストッカ模型８３０、同一の縮尺でテーブルユニット４１０の前面形状を模したテーブル模型８４０、同一の縮尺で人間の前面形状を模した平板状の人間模型８５０、複数の模型８１０〜８４０がレイアウトされて着脱自在に装着されるとともに人間模型が着脱自在に装着されるレイアウト台紙８６０、からなる。
【０１５７】
レイアウト台紙８６０は磁性シートで形成されており、模型８１０〜８５０はマグネットシートで形成されている。このような陳列シミュレータ８００ａが提供された店舗では、図２８に示すように、レイアウト台紙８６０に各種の模型８１０〜８３０をレイアウトすることにより、タバコ陳列システム１０００の各種ユニット１００〜５００等の組み合わせを検討することができる。
【０１５８】
しかも、この陳列シミュレータ８００ａでは、統一の縮尺で人間模型８５０もあるので、タバコ陳列システム１０００と人間との相対関係も確認することができる。特に、人間模型８５０は、腕部が回動自在に形成されている。このため、人間が作業できる範囲にタバコ陳列システム１０００を構築できるかなども確認することができる。
【０１５９】
さらに、店舗でレイアウト台紙８６０に各種模型８１０〜８３０がレイアウトされた陳列シミュレータ８００をタバコ陳列システム１０００のメーカが回収し、そのレイアウトに対応して各種ユニット１００〜５００等をメーカが店舗に提供するようなこともできる。
【０１６０】
なお、当然ながら、図２９に示すように、ウォールユニット５００の前面形状を所定の縮尺で模した平板状のユニット模型８７０を有する陳列シミュレータ８００ｂも同様に形成することができる。
【０１６１】
さらに、上述のようなフレームユニット３００とウォールユニット５００とのユニット模型８１０，８７０が両方とも用意されている陳列シミュレータ(図示せず)を店舗に提供することもできる。
【図面の簡単な説明】
【０１６２】
【図１】本発明の実施の形態のタバコ陳列システムのマガジンユニットの構造を示す縦断側面図である。
【図２】本発明の実施の形態のタバコ陳列システムの外観を示す斜視図である。
【図３】二種類のマガジンユニットの外観を示す斜視図である。
【図４】マガジンユニットにタバコパックが収容される状態を示す分解斜視図である。
【図５】マガジンユニットにタバコパックが収容された状態を示す斜視図である。
【図６】タバコパックが収容されたマガジンユニットが四種類のトレーユニットの一つにセットされる状態を示す分解斜視図である。
【図７】タバコパックが収容されたマガジンユニットが四種類のトレーユニットの一つにセットされる状態を示す分解斜視図である。
【図８】四種類のトレーユニットの一つを示す斜視図である。
【図９】タバコパックが収容されたマガジンユニットが四種類のトレーユニットの一つにセットされる状態を示す分解斜視図である。
【図１０】四種類のフレームユニットの一つを示す斜視図である。
【図１１】四種類のフレームユニットの一つを示す斜視図である。
【図１２】四種類のフレームユニットの一つを示す斜視図である。
【図１３】四種類のフレームユニットの一つを示す斜視図である。
【図１４】タバコパックがマガジンユニットで収容されたトレーユニットが四種類のフレームユニットの一つにセットされる状態を示す分解斜視図である。
【図１５】左右方向に配列された複数のフレームユニットとトレーユニットとの関係を示す平面図である。
【図１６】左右方向に配列された複数のフレームユニットが左右連結機構であるクリップ部材とファスナ部材とで連結される状態を示す分解斜視図である。
【図１７】二種類のウォールユニットの外観を示す斜視図である。
【図１８】四種類のトレーアタッチメントの二つの外観を示す斜視図である。
【図１９】四種類のトレーアタッチメントの二つの外観を示す斜視図である。
【図２０】トレーユニットがトレーアタッチメントでウォールユニットに装着される状態を示す分解斜視図である。
【図２１】フレームアタッチメントでフレームユニットがウォールユニットに装着される状態を示す分解斜視図である。
【図２２】マガジンユニットのマガジン本体からスライダ部材を取り外した状態を示す斜視図である。
【図２３】一変形例のストッカユニットを有するタバコ陳列システムの外観を示す斜視図である。
【図２４】一変形例のストッカユニットを有するタバコ陳列システムの外観を示す斜視図である。
【図２５】さらに他の変形例のスライダユニットの外観を示す斜視図である。
【図２６】スライダユニットがトレーユニットに装着された状態を示す斜視図である。
【図２７】さらに他の変形例の陳列シミュレータの外観を示す平面図である。
【図２８】陳列シミュレータが利用された状態を示す平面図である。
【図２９】さらに他の変形例の陳列シミュレータの外観を示す平面図である。
【符号の説明】
【０１６３】
１００    マガジンユニット
１０１，１０２    ポケット
１０４    開口孔
１０５    段差
１０７    凸部
１１０    スライダ部材
１１１    板バネ
１２０    マガジン本体
１２１    凸部
１２２    係合爪
２００    トレーユニット
２０１    トレー凸部
２０２    ポケット
３００    フレームユニット
３１０    本体フレーム
３１１    面ファスナ
３１３    フレーム貫通孔
３１４    凸部材
３２０    トレー支持部
３２１    ガイド凹部
３３１    クリップ部材
３３２    ファスナ部材
４００    ストッカユニット
４１０    テーブルユニット
４１１    ユニットボックス
４１２    テーブル部材
４２０    演出パーツ
４２１    部分
４２２    部分
４２３    マグネット
４３０    スライダユニット
４３１    ガイドレール
４３２，４３３    樹脂部品
４４０    樹脂パネル
４５０    メッシュユニット
４５１    枠部
４５２    メッシュ部
４５３    基部
５００    ウォールユニット
５００ａ    ベースウォール
５００ｂ    パネルウォール
５１０    ウォール部
５１１    凹溝
５２０    台座
５３０    フレーム連結機構
６００    トレーアタッチメント
６１０    トレー支持部
６２０    連結フレーム
６３０    係合機構
７００    フレームアタッチメント
７０１    支持部
８００    陳列シミュレータ
８１０    ユニット模型
８２０    カウンタ模型
８３０    ストッカ模型
８４０    テーブル模型
８５０    人間模型
８６０    レイアウト台紙
８７０    ユニット模型
１０００    タバコ陳列システム
Ｆ    簡易什器
Ｋ    タバコカートン
Ｐ    キャンペーンパック
Ｔ    タバコパック
【図１】
2008080058.tif 000003
【図２】
2008080058.tif 000004
【図３】
2008080058.tif 000005
【図４】
2008080058.tif 000006
【図５】
2008080058.tif 000007
【図６】
2008080058.tif 000008
【図７】
2008080058.tif 000009
【図８】
2008080058.tif 000010
【図９】
2008080058.tif 000011
【図１０】
2008080058.tif 000012
【図１１】
2008080058.tif 000013
【図１２】
2008080058.tif 000014
【図１３】
2008080058.tif 000015
【図１４】
2008080058.tif 000016
【図１５】
2008080058.tif 000017
【図１６】
2008080058.tif 000018
【図１７】
2008080058.tif 000019
【図１８】
2008080058.tif 000020
【図１９】
2008080058.tif 000021
【図２０】
2008080058.tif 000022
【図２１】
2008080058.tif 000023
【図２２】
2008080058.tif 000024
【図２３】
2008080058.tif 000025
【図２４】
2008080058.tif 000026
【図２５】
2008080058.tif 000027
【図２６】
2008080058.tif 000028
【図２７】
2008080058.tif 000029
【図２８】
2008080058.tif 000030
【図２９】
2008080058.tif 000031